(57)【要約】      （修正有）【課題】車内で電子製品をワイヤレスで充電するために、バイザー本体に充電ベースを設け、電子製品を有効に固定し、車が揺れても電子製品が収容槽内に移動することなく電子製品に充電するワイヤレス充電バイザーを提供する。【解決手段】ワイヤレス充電バイザーは、バイザー本体と、バイザー本体に設けられる充電ベースとを備え、バイザー本体の中にワイヤレス充電回路モジュールが設けられ、充電ベースは底座２１０と、当該底座２１０に枢設される蓋体２２０とを備え、当該底座２１０に収容槽２１１が設けられ、当該収容槽２１１内にガスケット２１２が設けられる。ワイヤレス充電バイザーは、充電ベースが設けられることにより、電子製品が有効に固定され、車が揺れても蓋体２２０と底座２１０が覆い合われた後に電子製品がしっかりと圧着され、電子製品が当該収容槽２１１内に移動することが防止されるから電子製品に確実に充電する。【選択図】図２
0003195640.tif 000002
【実用新案登録請求の範囲】
【請求項１】
バイザー本体と、当該バイザー本体に設けられる充電ベースとを備え、当該バイザー本体の中にワイヤレス充電回路モジュールが設けられ、当該ワイヤレス充電回路モジュールはコイルを備え、当該コイルが当該充電ベースと整合されて設けられ、当該充電ベースは底座と、当該底座に枢設される蓋体とを備え、当該底座に収容槽が設けられ、当該収容槽内にガスケットが設けられる、ことを特徴とするワイヤレス充電バイザー。
【請求項２】
前記蓋体が前記底座の上に覆設され、当該底座と当該蓋体が枢接される位置にさらに保持弾性腕が設けられ、当該蓋体と当該保持弾性腕が整合される位置にさらに回転軸が凸設され、当該回転軸が当該保持弾性腕内に保持され、当該蓋体が当該回転軸で当該保持弾性腕に回って翻転されるように設けられる、ことを特徴とする請求項1に記載のワイヤレス充電バイザー。
【請求項３】
前記蓋体が前記底座と枢接される一端に位置決め片状突起が凸設される、ことを特徴とする請求項1に記載のワイヤレス充電バイザー。
【請求項４】
前記底座一端側の壁にくぼみ部が設けられ、当該底座にある当該くぼみ部の両側に保持スロットが開設され、前記蓋体が当該保持スロットに整合される位置にホックが凸設され、当該ホックが当該保持スロット内に係止され、ことを特徴とする請求項1に記載のワイヤレス充電バイザー。
【請求項５】
前記蓋体の中央に透明観測窓部が設けられる、ことを特徴とする請求項1に記載のワイヤレス充電バイザー。
【請求項６】
前記ガスケットは弾性吸盤の構造である、ことを特徴とする請求項1に記載のワイヤレス充電バイザー。
【請求項７】
前記ガスケットが前記収容槽底部の壁に間隔に設けられる、ことを特徴とする請求項1に記載のワイヤレス充電バイザー。
【請求項８】
前記バイザー本体にさらに電源インタフェースが設けられ、当該電源インタフェースと前記ワイヤレス充電回路モジュールが電気的に連接される、ことを特徴とする請求項1に記載のワイヤレス充電バイザー。
【請求項９】
前記バイザー本体の中にさらにBluetooth（登録商標）モジュール、RFモジュール及びマイクロフォンが設けられ、当該Bluetooth（登録商標）モジュールが電子製品とBluetooth（登録商標）で接続されるように使われ、当該RFモジュールが電子製品の音声信号が車載主機に送れられるように使われ、当該マイクロフォンと当該Bluetooth（登録商標）モジュールが電気的に連接され、当該Bluetooth（登録商標）モジュールで電子製品に信号を送るように使われて通話機能が実現される、ことを特徴とする請求項1に記載のワイヤレス充電バイザー。
【請求項１０】
前記バイザー本体にある前記充電ベースの一側にボタンモジュールが設けられ、当該ボタンモジュールと前記Bluetooth（登録商標）モジュールが電気的に連接され、当該ボタンモジュールは当該Bluetooth（登録商標）モジュールで電子製品を制御することが実現される、ことを特徴とする請求項9に記載のワイヤレス充電バイザー。
【考案の詳細な説明】
【技術分野】
【０００１】
本考案は、ワイヤレス充電技術の領域に関し、特にワイヤレス充電バイザーに関するものである。
【背景技術】
【０００２】
ワイヤレス充電技術は電磁誘導の原理で充電する技術であり、原理は変圧器に似ている。発送端及び受信端にそれぞれにコイルを有し、発送端のコイルが有線電源に連接されて電磁信号が発生され、受信端のコイルは発送端の電磁信号を感知して電流を発生して電池が充電される。現在、ワイヤレス充電技術は広範囲に応用され、例えば携帯電話、携帯型パソコンなどの設備への電力供給に応用されている。
【考案の概要】
【考案が解決しようとする課題】
【０００３】
現在、車載充電器は、車載電源コネクタ（例：シガーソケット或いはUSBインタフェース）とケーブルを含み、車内の電源出力インタフェースが通常にセンターコンソールの下側、シフトレバーに近いところに位置され、作業状態に、ケーブルがシフトレバーに絡みつくことがよくあり、セキュリティ上で問題がある。
【０００４】
且つケータイがケーブル接続方式で充電されたら、使用するのに不便であるという問題を有するが故に、一部の車にワイヤレス充電送信モジュールが提供され、車内にケータイがワイヤレスで充電されることが実現されることになれば便利である。ケータイが車内でワイヤレスで充電される場合、固定されなかったら、車が走る過程に送信ベースから離脱する可能性があり、充電効率に影響が出る。
【０００５】
また、現在の車のバイザー構造が既に成熟であり、各種の形があり、但し、ただ日よけの効果がある以外に、内部に平面鏡が増加されて鏡を忘れた場合にメイクできるようになる。
【０００６】
そこで本考案の目的は、上記の問題点に対して、従来の技術の不足を解消するために、多功能のワイヤレス充電バイザーを提供して車内に電子製品をワイヤレスで充電することを実現し、車内空間を簡潔にすることである。
【課題を解決するための手段】
【０００７】
前記問題点を解決でき、上記目的を達成するために、本考案のワイヤレス充電バイザーは、バイザー本体と、当該バイザー本体に設けられる充電ベースとを備え、当該バイザー本体の中にワイヤレス充電回路モジュールが設けられ、当該ワイヤレス充電回路モジュールはコイルを備え、当該コイルが当該充電ベースと整合されて設けられ、当該充電ベースは底座と、当該底座に枢設される蓋体とを備え、当該底座に収容槽が設けられ、当該収容槽内にガスケットが設けられる。
【０００８】
前記蓋体が前記底座の上に覆設され、当該底座と当該蓋体が枢接される位置にさらに保持弾性腕が設けられ、当該蓋体と当該保持弾性腕が整合される位置にさらに回転軸が凸設され、当該回転軸が当該保持弾性腕内に保持され、当該蓋体が当該回転軸で当該保持弾性腕に回って翻転されるように設けられることが好ましい。
【０００９】
前記蓋体が前記底座と枢接される一端に位置決め片状突起が凸設されることが好ましい。
【００１０】
前記底座一端側の壁にくぼみ部が設けられ、当該底座にある当該くぼみ部の両側に保持スロットが開設され、前記蓋体が当該保持スロットに整合される位置にホックが凸設され、当該ホックが当該保持スロット内に係止されることが好ましい。
【００１１】
前記蓋体の中央に透明観測窓部が設けられることが好ましい。
【００１２】
前記ガスケットは弾性吸盤の構造であることが好ましい。
【００１３】
前記ガスケットが前記収容槽底部の壁に間隔に設けられることが好ましい。
【００１４】
前記バイザー本体にさらに電源インタフェースが設けられ、当該電源インタフェースと前記ワイヤレス充電回路モジュールが電気的に連接されることが好ましい。
【００１５】
前記バイザー本体の中にさらにBluetooth(登録商標)モジュール、RFモジュール及びマイクロフォンが設けられ、当該Bluetooth(登録商標)モジュールが電子製品とBluetooth(登録商標)で接続されるように使われ、当該RFモジュールが電子製品の音声信号が車載主機に送れられるように使われ、当該マイクロフォンと当該Bluetooth(登録商標)モジュールが電気的に連接され、当該Bluetooth(登録商標)モジュールで電子製品に信号を送るように使われて通話機能が実現されることが好ましい。
【００１６】
前記バイザー本体にある前記充電ベースの一側にボタンモジュールが設けられ、当該ボタンモジュールと前記Bluetooth(登録商標)モジュールが電気的に連接され、当該ボタンモジュールは当該Bluetooth(登録商標)モジュールで電子製品を制御することが実現されることが好ましい。
【考案の効果】
【００１７】
本考案のワイヤレス充電バイザーは、当該バイザー本体に充電ベースが設けられることにより、ガスケットを利用して電子製品を有効に固定することが実現され、車が揺れても電子製品の充電に影響することが防止される。また、これと同時に位置決め片状突起と配合して電子製品の位置が制限され、ワイヤレス充電回路モジュールの当該コイルが電子製品と整合されて対接されることが有効に保証される。したがって、充電ベースの蓋体と底座が覆い合われた後に電子製品がしっかりと圧着され、車が揺れて電子製品が収容槽内に移動することが防止されるという効果が得られる。
【図面の簡単な説明】
【００１８】
【図１】：本考案のワイヤレス充電バイザーの構造を示す図
【図２】：本考案のワイヤレス充電バイザーの充電ベースの構造を示す図
【図３】：本考案の充電ベースとワイヤレス充電回路モジュールが結合される構造を示す図
【図４】：本考案のワイヤレス充電バイザーの部分ケースが隠された構造を示す図
【考案を実施するための形態】
【００１９】
以下、本考案の実施の形態について、図面を参照して詳細に説明する。
【００２０】
図1乃至図4に示すように、本考案のワイヤレス充電バイザーは、バイザー本体100と、当該バイザー本体100に設けられる充電ベース200とを備え、当該バイザー本体100が回転可能で車のルーフに固定され、且つ角度を調整するようになり、当該バイザー本体100の中にワイヤレス充電回路モジュール110が設けられ、当該ワイヤレス充電回路モジュール110はコイル111を備え、当該コイル111が当該充電ベース200と整合されて設けられ、当該充電ベース200は底座210と、当該底座210に枢設される蓋体220とを備え、当該底座210に収容槽211が設けられ、当該収容槽211内にガスケット212が設けられ、当該ガスケット212は弾性吸盤の構造であり、当該蓋体220が覆い合われた後に電子製品を位置決めするために使われ、電子製品が当該収容槽211内に移動することが防止され、車が揺れて電子製品の充電に影響することが避けられ、同時に、当該ガスケット212構造により、当該収容槽211の適合度が有効に高まり、当該収容槽211内に多種のサイズや厚さの電子製品が収容できるようにされ、当該充電ベース200の通用性が高まる。
【００２１】
前記ガスケット212が前記収容槽211底部の壁に間隔に設けられ、電子製品の数個の部分と貼り合せることにより、電子製品の固定がさらに強化され、電子製品がさらに当該収容槽211内に安定に保持されるようにする。
【００２２】
前記底座210一端側の壁にくぼみ部213が設けられ、当該底座210にある当該くぼみ部213の両側に保持スロット214が開設され、前記蓋体220が当該底座210の上に覆設され、当該底座210と当該蓋体220が枢接される位置に保持弾性腕215が設けられ、当該蓋体220と当該保持弾性腕215が整合される位置に回転軸221が凸設され、当該回転軸221が当該保持弾性腕215内に保持され、当該蓋体220が当該回転軸221で当該保持弾性腕215に回って翻転されるように設けられ、当該蓋体220が当該保持スロット214に整合される位置にホック222が凸設され、当該ホック222が当該保持スロット214内に係止され、当該蓋体220と当該底座210がしっかりと固定され、車が揺れて当該蓋体220が当該保持スロット214から離脱されて電子製品が前記収容槽211から飛ばされることが防止される。
【００２３】
前記くぼみ部213によって使用者は指でより速くて前記蓋体220を前記保持スロット214内から離脱するようになり、前記回転軸221の位置が弾性的に制限されるために前記保持弾性腕215が使われ、当該保持弾性腕215の変形効果で当該蓋体220がより速くて当該保持スロット214内から離脱されるようになる。
【００２４】
前記蓋体220の中央に透明観測窓部223が設けられ、電子製品が前記収容槽211内に置かれた後、使用者は当該蓋体220の中央にある当該透明観測窓部223で電子製品を観測でき、電子製品の充電進度を明確に分かるようになる。
【００２５】
前記蓋体220が前記底座210と枢接される一端に位置決め片状突起224が凸設され、当該位置決め片状突起224が電子製品を支えるように使われ、電子製品が入れられた後に電子製品の位置が制限され、前記ワイヤレス充電回路モジュール110のコイル111が電子製品の受信コイルと整合されて対接されることが有効に保証でき、当該蓋体220と当該底座210が覆い合われた後に電子製品がしっかりと圧着され、車が揺れて電子製品が前記収容槽211内に移動することが防止される。
【００２６】
前記バイザー本体100にさらに電源インタフェース120が設けられ、当該電源インタフェース120と前記ワイヤレス充電回路モジュール110が電気的に連接され、車載電源は当該電源インタフェース120で前記ワイヤレス充電回路モジュール110に充電の電力を提供し、当該バイザー本体の中100にさらにBluetooth(登録商標)モジュール130、RFモジュール140及びマイクロフォン150が設けられ、当該Bluetooth(登録商標)モジュール130が電子製品とBluetooth(登録商標)で接続されるように使われ、当該RFモジュール140が電子製品の音声信号が車載主機に送れられるように使われ、当該マイクロフォン150と当該Bluetooth(登録商標)モジュール130が電気的に連接され、当該Bluetooth(登録商標)モジュール130で電子製品に信号を送るように使われて通話機能が実現される。
【００２７】
前記バイザー本体100にある前記充電ベース200の一側にボタンモジュール160が設けられ、当該ボタンモジュール160と前記Bluetooth(登録商標)モジュール130が電気的に連接され、当該ボタンモジュール160は当該Bluetooth(登録商標)モジュール130で電子製品を制御することが実現され、電子製品の作動している音楽ソフトの再生曲、音量の大きさなどの機能が調節される。
【００２８】
本考案が使われる場合、まず電子製品が前記位置決め片状突起224の作用で前記蓋体220と貼り合われ、当該蓋体220が閉じられ、この時、前記ホックが前記保持スロット214内に保持され、当該蓋体220が安定に前記底座210の上に固持され、電子製品のモニターが当該蓋体220の前記透明観測窓部223に正対され、当該透明観測窓部223で使用者は便利に電子製品の充電状態を直接に見るようになり、電子製品が取り出される必要がある場合、指を前記くぼみ部213に入れて当該蓋体220を押し、この時、当該蓋体220が前記保持弾性腕215の位置制限作用で弾性的に動き、前記ホック222が当該保持スロット214から離脱され、さらに当該蓋体220に翻転させて力を加え、当該蓋体220が当該保持弾性腕215に回って翻転され、電子製品が取り出されるようになる。
【００２９】
同時に、電子製品の内部ソフトが設定され、前記Bluetooth(登録商標)モジュール130が電子製品と対接されることにより、着信がある場合、電子製品が自動的に着信を判別され、通話が開始され、使用者が前記マイクロフォン150で便利に他人と通話するようになり、使用者は車を運転して手で電子製品を持って不必要な事故を起こすことが避けられ、そして、前記RFモジュール140で電子製品の音声信号が車載主機に発信され、車載スピーカーで電子製品の音声信号が再生され、製品の効果がさらに高まる。
【００３０】
本考案は、前記バイザー本体100に前記充電ベース200が設けられることにより、前記ガスケット212で電子製品を有効に固定することが実現され、車が揺れて電子製品への充電を影響することが防止され、同時に前記位置決め片状突起224と配合されて電子製品の位置が制限され、前記ワイヤレス充電回路モジュール110の前記コイル111が電子製品と整合されて対接されるように有効に保証され、前記蓋体220と前記底座210が覆い合われた後に電子製品がよりよく圧着され、車が揺れて電子製品が前記収容槽211内に移動することが防止される。
【００３１】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【産業上の利用可能性】
【００３２】
本考案は、多功能のワイヤレス充電バイザーを提供して車内に電子製品をワイヤレスで充電するに当たって、当該バイザー本体に充電ベースが設けられることにより、電子製品を有効に固定し、車が揺れても電子製品が収容槽内に移動することなく電子製品に充電することができ、有用である。
【符号の説明】
【００３３】
100 バイザー本体                  211 収容槽
110 ワイヤレス充電回路モジュール  212 ガスケット
111 コイル                        213 くぼみ部
120 電源インタフェース            214 保持スロット
130 Bluetooth(登録商標)モジュール           215 保持弾性腕
140 RFモジュール                  220 蓋体
150 マイクロフォン                221 回転軸
160 ボタンモジュール              222 ホック
200 充電ベース                    223 透明観測窓部
210 底座                          224 位置決め片状突起
【図１】
0003195640.tif 000003
【図２】
0003195640.tif 000004
【図３】
0003195640.tif 000005
【図４】
0003195640.tif 000006